(57)【要約】【課題】回路構成が複雑で、大型化するのを抑えることができる耐静電気特性に優れた表示装置、及びそれを用いたテレビ受信装置を提供する。【解決手段】情報を表示する液晶パネル（表示部）を備えた液晶表示装置（表示装置）において、複数のソース配線（データ配線）Ｓ１〜ＳＭと、複数の各ソース配線Ｓ１〜ＳＭの一端側に接続されるとともに、複数の各ソース配線Ｓ１〜ＳＭに対して、液晶パネルに表示される情報に応じたソース信号（データ信号）を出力するソースドライバ（データ配線駆動部）２５と、外部から映像信号が入力されるとともに、入力された映像信号を基にソース信号を生成して、ソースドライバ２５に出力する画像処理部２４を備える。そして、画像処理部２４からソースドライバ２５に出力されるソース信号の電流値を監視する電流監視部２４ａ１を設けた。【選択図】図３
2010156926.tif 000002
【特許請求の範囲】
【請求項１】
情報を表示する表示部を備えた表示装置であって、
複数のデータ配線と、
前記複数の各データ配線の一端側に接続されるとともに、前記複数の各データ配線に対して、前記表示部に表示される情報に応じたデータ信号を出力するデータ配線駆動部と、
外部から映像信号が入力されるとともに、入力された映像信号を基にデータ信号を生成して、前記データ配線駆動部に出力する画像処理部を備え、
前記画像処理部から前記データ配線駆動部に出力されるデータ信号の電流値を監視する電流監視部を設けた、
ことを特徴とする表示装置。
【請求項２】
前記電流監視部は、前記画像処理部から前記データ配線駆動部に出力されるデータ信号の電流値が所定値を超えることを判別したときに、前記電流監視部は、当該データ信号の電流値を制限する請求項１に記載の表示装置。
【請求項３】
前記表示部として、ノーマリブラック方式の液晶パネルが用いられるとともに、
前記電流監視部は、前記画像処理部から前記データ配線駆動部に出力されるデータ信号の電流値が所定値を超えることを判別したときに、前記電流監視部は、前記液晶パネルにおいて、黒表示が行われるように、当該データ信号の電流値を制限する請求項１または２に記載の表示装置。
【請求項４】
前記表示部として、ノーマリホワイト方式の液晶パネルが用いられるとともに、
前記電流監視部は、前記画像処理部から前記データ配線駆動部に出力されるデータ信号の電流値が所定値を超えることを判別したときに、前記電流監視部は、前記液晶パネルにおいて、白表示が行われるように、当該データ信号の電流値を制限する請求項１または２に記載の表示装置。
【請求項５】
前記電流監視部は、前記画像処理部に一体的に設けられている請求項１〜４のいずれか１項に記載の表示装置。
【請求項６】
請求項１〜５のいずれか１項に記載の表示装置を備えることを特徴とするテレビ受信装置。
【発明の詳細な説明】
【技術分野】
【０００１】
本発明は、文字や画像などの情報を表示する表示部を備えた表示装置、及びそれを用いたテレビ受信装置に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置は、文字や画像などの情報を表示する表示部としての液晶パネルを備えており、この液晶パネルには、マトリクス状に配列された複数のデータ配線（ソース配線）及び複数の走査配線（ゲート配線）と、データ配線と走査配線との交差部の近傍に薄膜トランジスタ（ＴＦＴ：Thin Film Transistor）などのスイッチング素子を有する複数の画素が設けられている。
【０００３】
また、従来の液晶表示装置には、例えば下記特許文献１に記載されているように、アクティブ基板上のデータライン駆動用ドライバ搭載領域内に、データライン用静電気保護兼テスト用スイッチング回路を設けることが提案されている。また、この従来の液晶表示装置では、データライン用静電気保護兼テスト用スイッチング回路内に、複数のデータライン（データ配線）にそれぞれ接続された複数のデータライン用静電気保護兼テスト用薄膜トランジスタを設けていた。そして、この従来の液晶表示装置では、データラインに対して、外部から静電気が侵入したときでも、対応するデータライン用静電気保護兼テスト用薄膜トランジスタにより、静電気に起因するデータラインの破壊等の不良が生じるのを防止可能とされていた。
【特許文献１】特開２００８−１２９３７４号公報
【発明の開示】
【発明が解決しようとする課題】
【０００４】
しかしながら、上記のような従来の液晶表示装置では、複数のデータライン（データ配線）毎に、データライン用静電気保護兼テスト用薄膜トランジスタを設置していた。このため、従来の液晶表示装置では、耐静電気特性を向上させたときに、当該装置の回路構成が複雑で、大型化するという問題点を生じた。
【０００５】
上記の課題を鑑み、本発明は、回路構成が複雑で、大型化するのを抑えることができる耐静電気特性に優れた表示装置、及びそれを用いたテレビ受信装置を提供することを目的とする。
【課題を解決するための手段】
【０００６】
上記の目的を達成するために、本発明にかかる表示装置は、情報を表示する表示部を備えた表示装置であって、
複数のデータ配線と、
前記複数の各データ配線の一端側に接続されるとともに、前記複数の各データ配線に対して、前記表示部に表示される情報に応じたデータ信号を出力するデータ配線駆動部と、
外部から映像信号が入力されるとともに、入力された映像信号を基にデータ信号を生成して、前記データ配線駆動部に出力する画像処理部を備え、
前記画像処理部から前記データ配線駆動部に出力されるデータ信号の電流値を監視する電流監視部を設けたことを特徴とするものである。
【０００７】
上記のように構成された表示装置では、電流監視部が上記画像処理部から上記データ配
線駆動部に出力されるデータ信号の電流値を監視している。これにより、静電気のノイズが外部からデータ配線及び／またはデータ配線駆動部に入り込んだ場合に、電流監視部はその静電気に起因するデータ信号の電流値の増加を検出することができる。この結果、静電気に起因するデータ配線及びデータ配線駆動部の各破壊などの不良の発生を未然に防止することが可能となり、上記従来例と異なり、回路構成が複雑で、大型化するのを抑えることができる耐静電気特性に優れた表示装置を構成することができる。
【０００８】
また、上記表示装置において、前記電流監視部は、前記画像処理部から前記データ配線駆動部に出力されるデータ信号の電流値が所定値を超えることを判別したときに、前記電流監視部は、当該データ信号の電流値を制限することが好ましい。
【０００９】
この場合、上記静電気に起因するデータ配線及びデータ配線駆動部の各破壊などの不良の発生を確実に防ぐことができる。
【００１０】
また、上記表示装置において、前記表示部として、ノーマリブラック方式の液晶パネルが用いられるとともに、
前記電流監視部は、前記画像処理部から前記データ配線駆動部に出力されるデータ信号の電流値が所定値を超えることを判別したときに、前記電流監視部は、前記液晶パネルにおいて、黒表示が行われるように、当該データ信号の電流値を制限してもよい。
【００１１】
この場合、データ配線に供給されるデータ信号の電流値が上記液晶パネルにおける最小電流値とされるので、上記静電気に起因するデータ配線及びデータ配線駆動部の各破壊などの不良の発生をより確実に防ぐことができる。
【００１２】
また、上記表示装置において、前記表示部として、ノーマリホワイト方式の液晶パネルが用いられるとともに、
前記電流監視部は、前記画像処理部から前記データ配線駆動部に出力されるデータ信号の電流値が所定値を超えることを判別したときに、前記電流監視部は、前記液晶パネルにおいて、白表示が行われるように、当該データ信号の電流値を制限してもよい。
【００１３】
この場合、データ配線に供給されるデータ信号の電流値が上記液晶パネルにおける最小電流値とされるので、上記静電気に起因するデータ配線及びデータ配線駆動部の各破壊などの不良の発生をより確実に防ぐことができる。
【００１４】
また、上記表示装置において、前記電流監視部は、前記画像処理部に一体的に設けられていることが好ましい。
【００１５】
この場合、表示装置の回路構成をより確実にコンパクトなものとすることができる。
【００１６】
また、本発明のテレビ受信装置は、上記いずれかの表示装置を備えることを特徴とするものである。
【００１７】
上記のように構成されたテレビ受信装置では、回路構成が複雑で、大型化するのを抑えることができる耐静電気特性に優れた表示装置を備えているので、耐静電気特性に優れたコンパクトなテレビ受信装置を容易に構成することができる。
【発明の効果】
【００１８】
本発明によれば、回路構成が複雑で、大型化するのを抑えることができる耐静電気特性に優れた表示装置、及びそれを用いたテレビ受信装置を提供することが可能となる。
【発明を実施するための最良の形態】
【００１９】
以下、本発明の表示装置、及びテレビ受信装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００２０】
図１は、本発明の一実施形態にかかるテレビ受信装置及び液晶表示装置を説明する分解斜視図である。図において、本実施形態のテレビ受信装置１は、表示装置としての液晶表示装置２を備えており、アンテナやケーブル（図示せず）などによりテレビ放送を受信可能に構成されている。液晶表示装置２は、表キャビネット３及び裏キャビネット４に収納された状態で、スタンド５によって立設されるようになっている。また、テレビ受信装置１では、液晶表示装置２の表示面２ａが表キャビネット３を介在させて視認可能に構成されている。この表示面２ａは、スタンド５により、重力の作用方向（鉛直方向）に平行となるように設置されている。
【００２１】
また、テレビ受信装置１では、文字及び画像を含んだ情報を表示する表示部としての液晶表示装置２と裏キャビネット４との間に、支持板６に取り付けられるＴＶチューナー回路基板６ａ、後述のバックライト装置等のテレビ受信装置１の各部を制御する制御回路基板６ｂ、及び電源回路基板６ｃが配置されている。そして、テレビ受信装置１では、ＴＶチューナー回路基板６ａ上のＴＶチューナーで受信されたテレビ放送の映像信号に応じた画像が表示面２ａ上に表示されるとともに、表キャビネット３に設けられたスピーカ３ａから音声が再生出力される。なお、裏キャビネット４には、多数の通気孔が形成されており、照明装置や電源などで発生した熱を適切に放熱できるようになっている。
【００２２】
次に、図２を参照して、液晶表示装置２について具体的に説明する。
【００２３】
図２は、本発明の上記液晶表示装置を説明する概略断面図である。図２において、本実施形態の液晶表示装置２には、図２の上側が視認側（表示面側）として設置される表示部としての液晶パネル７と、液晶パネル７の非表示面側（図２の下側）に配置されて、当該液晶パネル７を照明する照明光を発生する照明装置８とが設けられている。この液晶パネル７には、例えばノーマリブラック方式のものが用いられている。
【００２４】
また、液晶パネル７は、液晶層９と、液晶層９を狭持するアクティブマトリクス基板１０及びカラーフィルタ基板１１と、アクティブマトリクス基板１０及びカラーフィルタ基板１１の各外側表面上にそれぞれ設けられた偏光板１２、１３とを備えている。また、液晶パネル７には、フレキシブルプリント回路基板１４と、このフレキシブルプリント回路基板１４に接続されたプリント回路基板１５とが設けられている。また、これらフレキシブルプリント回路基板１４及びプリント回路基板１５は、後に詳述するように、複数設けられたソースドライバ２５の設置数に応じて、各々複数設けられている。
【００２５】
また、フレキシブルプリント回路基板１４は、ＳＯＦ（System On Film）と呼ばれるものであり、このフレキシブルプリント回路基板１４には、液晶層９を画素単位に駆動するドライバとしてのソースドライバ２５が実装されている。尚、フレキシブルプリント回路基板１４では、ソースドライバ２５が実装された表面とは反対側の表面（図１の上側の表面）は例えば合成樹脂にて構成された放熱シートＨに当接しており、放熱シートＨを介してソースドライバ２５で生じた熱を後述のベゼルに伝えて外部に放熱するよう構成されている。
【００２６】
また、複数のプリント回路基板１５では、隣接する２つのプリント回路基板１５どうしがフレキシブルプリント回路基板３１によって互いに接続されている（詳細は後述。）。
さらに、プリント回路基板１５には、後述のパネル制御部が電気的に接続されており、当該パネル制御部によってソースドライバ２５の駆動制御が行われるようになっている。そして、液晶パネル７では、液晶層９によって偏光板１２を介して入射された上記照明光の偏光状態が変調され、かつ、偏光板１３を通過する光量が制御されることにより、所望画像が表示される。
【００２７】
照明装置８には、図２の上側（液晶パネル７側）が開口した有底状のシャーシ１６と、シャーシ１６の液晶パネル７側に設置された枠状のフレーム１７とが設けられている。また、シャーシ１６及びフレーム１７は、金属または合成樹脂によって構成されており、フレーム１７の上方に液晶パネル７が設置された状態で、断面Ｌ字状のベゼル１８にて狭持されている。具体的にいえば、シャーシ１６は、光源としての後述の冷陰極蛍光管を収容する照明装置８の筐体である。また、ベゼル１８は、液晶パネル７を収納するためのものであり、プラスチックシャーシとも呼ばれる、上記フレーム１７との間で液晶パネル７を狭持した状態で、当該ベゼル１８はフレーム１７及びシャーシ１６と互いに組み付けられている。そして、照明装置８は、液晶パネル７に組み付けられ、当該照明装置８からの照明光が液晶パネル７に入射される透過型の液晶表示装置２として一体化されている。
【００２８】
また、照明装置８は、シャーシ１６の開口部を覆うように設置された拡散板１９と、拡散板１９の上方で液晶パネル２側に設置された光学シート２１と、シャーシ１６の内面に設けられた反射シート２４とを備えている。また、照明装置８では、複数、例えば６本の冷陰極蛍光管２３がシャーシ１６の内部で液晶パネル７の下方側に設けられており、直下型の照明装置８を構成している。そして、照明装置８では、各冷陰極蛍光管２３からの光が液晶パネル７に対向配置される照明装置８の発光面から上記照明光として出射されるようになっている。
【００２９】
尚、上記の説明では、直下型の照明装置８を用いた構成について説明したが、本実施形態はこれに限定されるものではなく、導光板を有するエッジライト型の照明装置を用いてもよい。また、冷陰極蛍光管以外の熱陰極蛍光管やＬＥＤなどの他の光源を有する照明装置も用いることができる。
【００３０】
拡散板１９は、例えば厚さ２ｍｍ程度の長方形状の合成樹脂またはガラス材を用いて構成されており、冷陰極蛍光管２３からの光を拡散して、光学シート２１側に出射する。また、拡散板１９は、その四辺側がシャーシ１６の上側に設けられた枠状の表面上に載置されており、弾性変形可能な押圧部材２０を介在させてシャーシ１６の当該表面とフレーム１７の内面とで狭持された状態で照明装置８の内部に組み込まれている。さらに、拡散板１９は、その略中央部がシャーシ１６内部に設置された透明な支持部材（図示せず）にて支えられており、シャーシ１６の内側に撓むのが防がれている。
【００３１】
また、拡散板１９は、シャーシ１６と押圧部材２０との間で移動可能に保持されており、冷陰極蛍光管２３の発熱やシャーシ１６の内部の温度上昇などの熱の影響により、当該拡散板１９に伸縮（塑性）変形が生じたときでも、押圧部材２０が弾性変形することにて当該塑性変形が吸収されて、冷陰極蛍光管２３からの光の拡散性を極力低下しないようになっている。また、合成樹脂に比べて熱に強いガラス材の拡散板１９を用いる場合の方が、上記熱の影響による反り、黄変、熱変形等が生じ難い点で好ましい。
【００３２】
光学シート２１には、例えば厚さ０．５ｍｍ程度の合成樹脂フィルムにより構成された集光シートが含まれており、液晶パネル７への上記照明光の輝度を上昇させるように構成されている。また、光学シート２１には、液晶パネル７の表示面での表示品位の向上を行うためなどのプリズムシート、拡散シート、偏光シートなどの公知の光学シート材が必要に応じて適宜積層されるようになっている。そして、光学シート２１は、拡散板１９から
出射された光を、所定の輝度（例えば、１００００ｃｄ／ｍ2）以上で、かつ、均一な輝度を有する面状光に変換し照明光として液晶パネル７側に入射させるように構成されている。なお、上記の説明以外に、例えば液晶パネル７の上方（表示面側）に当該液晶パネル７の視野角を調整するための拡散シート等の光学部材を適宜積層してもよい。
【００３３】
また、光学シート２１では、例えば液晶表示装置２の実使用時に上側となる、図２の左端辺側の中央部に、同図２の左側に突出した突出部が形成されている。そして、光学シート２１では、上記突出部だけが弾性材２２を介在させてフレーム１７の内面と押圧部材２０とで狭持されており、当該光学シート２１は、照明装置８の内部に伸縮可能な状態で組み込まれている。これにより、光学シート２１では、冷陰極蛍光管２３の発熱などの上記の熱の影響により、伸縮（塑性）変形が生じたときでも、上記突出部を基準とした自由な伸縮変形が可能となり、シワや撓みなどが当該光学シート２１に発生するのが極力防がれるように構成されている。この結果、液晶表示装置２では、光学シート２１の撓み等に起因して、輝度ムラなどの表示品位の低下が液晶パネル７の表示面に発生するのを極力防止できるようになっている。
【００３４】
各冷陰極蛍光管２３０には、直管状のものが用いられており、その両端部に設けられた電極部（図示せず）がシャーシ１６の外側にて支持されている。また、各冷陰極蛍光管２３には、直径３．０〜４．０ｍｍ程度の発光効率に優れた細管化されたものが使用されており、各冷陰極蛍光管２３は、図示しない光源保持具によって拡散板１９及び反射シート２４との各間の距離を所定距離に保たれた状態で、シャーシ１６の内部に保持されている。さらに、冷陰極蛍光管２３は、その長手方向が重力の作用方向と直交する方向に平行となるように、配置されている。これにより、冷陰極蛍光管２３では、その内部に封入された水銀（蒸気）が重力の作用により長手方向の一方の端部側に集まるのが防がれて、ランプ寿命が大幅に向上されている。
【００３５】
反射シート２４は、例えば厚さ０．２〜０．５ｍｍ程度のアルミニウムや銀などの光反射率の高い金属薄膜により構成されており、冷陰極蛍光管２３の光を拡散板１９に向かって反射する反射板として機能するようになっている。これにより、照明装置８では、冷陰極蛍光管２３から発光された光を拡散板１９側に効率よく反射して当該光の利用効率及び拡散板１９での輝度を高めることができる。なお、この説明以外に、上記金属薄膜に代えて、合成樹脂製の反射シート材を使用したり、例えばシャーシ１６の内面に光反射率の高い白色等の塗料を塗布することによって当該内面を反射板として機能させたりすることもできる。
【００３６】
次に、図３も参照して、液晶パネル７について具体的に説明する。
【００３７】
図３は、図２に示した液晶パネルの要部構成を説明する図である。
【００３８】
図３において、液晶表示装置２（図２）には、文字や画像等の情報を表示する上記表示部としての液晶パネル７（図２）の駆動制御を行うパネル制御部２４と、このパネル制御部２４からの指示信号を基に動作する複数、例えば９つのソースドライバ２５−１、２５−２、…、２５−８、２５−９（以下、“２５”にて総称する。）及び複数、例えば６つのゲートドライバ２６−１、２６−２、…、２６−５、２６−６（以下、“２６”にて総称する。）が設けられている。
【００３９】
パネル制御部２４には、液晶表示装置２の外部からの映像信号が入力されるようになっている。また、パネル制御部２４には、入力された映像信号に対して所定の画像処理を行ってソースドライバ２５及びゲートドライバ２６への各指示信号を生成する画像処理部２４ａが設けられている。これらソースドライバ２５及びゲートドライバ２６への指示信号
には、それぞれ後述のソース信号（データ信号）及び走査信号が含まれている。また、画像処理部２４ａには、ソースドライバ２５へのソース信号の電流値を監視する電流監視部２４ａ１が一体的に設けられている。
【００４０】
また、電流監視部２４ａ１は、後述のタイミングコントロール部２４ｂを介してソースドライバ２５に出力されるソース信号の電流値が所定値を越えるか否かについて判別するようになっており、ソース信号の電流値が所定値を越えることを判別したときには、そのソース信号の電流値を制限して、液晶パネル７において、黒表示が行われるように構成されている（詳細は後述。）。
【００４１】
また、パネル制御部２４には、画像処理部２４ａからソースドライバ２５及びゲートドライバ２６への各指示信号が入力されるとともに、これらの各指示信号を所定のタイミングで対応するソースドライバ２５及びゲートドライバ２６に出力する上記タイミングコントロール部２４ｂと、入力された映像信号に含まれた１フレーム分の表示データを記憶可能なフレームバッファ２４ｃとが設けられている。そして、パネル制御部２４が、入力された映像信号に応じて、ソースドライバ２５及びゲートドライバ２６の駆動制御を行うことにより、その映像信号に応じた情報が液晶パネル７に表示される。
【００４２】
ソースドライバ２５は、上述したように、フレキシブルプリント回路基板１４に実装されている。同様に、ゲートドライバ２６は、後述のフレキシブルプリント回路基板に実装されている。また、これらのソースドライバ２５及びゲートドライバ２６は、液晶パネル７の有効表示領域Ａ内に設けられた複数の画素Ｐを画素単位に駆動する駆動回路であり、ソースドライバ２５及びゲートドライバ２６には、複数のソース配線Ｓ１〜ＳＭ（Ｍは、９以上の整数、以下、“Ｓ”にて総称する。）及び複数のゲート配線Ｇ１〜ＧＮ（Ｎは、６以上の整数、以下、“Ｎ”にて総称する。）がそれぞれ接続されている。
【００４３】
また、ソース配線Ｓ及びゲート配線Ｇは、少なくとも有効表示領域Ａ内において、マトリクス状に配列されており、当該マトリクス状に区画された各領域には、上記複数の各画素Ｐの領域が形成されている。具体的にいえば、図３に例示するように、ソース配線Ｓには、液晶パネル７の縦方向に平行に配列されたソース配線本体部Ｓ１ｂ、Ｓ２ｂ、Ｓ３ｂ、…と、これらソース配線本体部Ｓ１ｂ、Ｓ２ｂ、Ｓ３ｂ、…とソースドライバ２５を距離が可能な限り長くならないように繋ぐ接続配線部Ｓ１ａ、Ｓ２ａ、Ｓ３ａ、…とが含まれている。同様に、ゲート配線Ｇには、液晶パネル７の横方向に平行に配列されたゲート配線本体部Ｇ１ｂ、Ｇ２ｂ、…と、これらゲート配線本体部Ｇ１ｂ、Ｇ２ｂ、…とゲートドライバ２６を距離が可能な限り長くならないように繋ぐ接続配線部Ｇ１ａ、Ｇ２ａ、…とが含まれている。
【００４４】
また、複数の画素Ｐには、赤色、緑色、及び青色の画素が含まれている。また、これらの赤色、緑色、及び青色の画素は、例えばこの順番で、各ゲート配線Ｇのゲート配線本体部Ｇ１ｂ、ｇ２ｂ、…に平行に順次配設されている。
【００４５】
また、ゲート配線本体部Ｇ１ｂ、ｇ２ｂ、…には、画素Ｐ毎に設けられたスイッチング素子２７のゲートが接続されている。一方、ソース配線本体部Ｓ１ｂ、Ｓ２ｂ、Ｓ３ｂ、…には、スイッチング素子２７のソースが接続されている。また、各スイッチング素子２７のドレインには、画素Ｐ毎に設けられた画素電極２８が接続されている。また、各画素Ｐでは、共通電極２９が液晶パネル７に設けられた液晶層９（図１）を間に挟んだ状態で画素電極２８に対向するように構成されている。そして、ゲートドライバ２６は、画像処理部２４ａからの指示信号に基づいて、ゲート配線Ｇ１〜ＧＮに対して、対応するスイッチング素子２７のゲートをオン状態にする走査信号を順次出力する。一方、ソースドライバ２５は、画像処理部２４ａからの指示信号に基づいて、表示画像の輝度（階調）に応じ
たソース信号（階調電圧）を対応するソース配線Ｓ１〜ＳＭに出力する。
【００４６】
次に、図４も参照して、フレキシブルプリント回路基板１４、プリント回路基板１５、及びフレキシブルプリント回路基板３１について具体的に説明する。
【００４７】
図４は、図２に示したプリント回路基板及びフレキシブルプリント回路基板を示す平面図である。
【００４８】
図４に示すように、液晶パネル７では、９つのソースドライバ２５−１〜２５−９が、９つのフレキシブルプリント回路基板（ＳＯＦ）１４にそれぞれ実装されている。各フレキシブルプリント回路基板１４の一端部側は、有効表示領域Ａの外側で、アクティブマトリクス基板１０上のソース配線Ｓに接続されている。また、各ソースドライバ２５−１〜２５−９には、同じ数のソース配線Ｓ、つまり（Ｍ／９）本のソース配線Ｓが接続されている。
【００４９】
また、各フレキシブルプリント回路基板１４の他端部側は、プリント回路基板１５に接続されている。具体的には、図４に例示するように、液晶パネル７では、３つのプリント回路基板１５が設けられるとともに、各プリント回路基板１５には、３つのフレキシブルプリント回路基板１４が接続されている。また、隣接する２つのプリント回路基板１５の間には、フレキシブルプリント回路基板３１が設けられており、これら２つのプリント回路基板１５どうしを接続するようになっている。すなわち、２つのフレキシブルプリント回路基板３１が、３つのプリント回路基板１５に対して設けられており、これらのプリント回路基板１５及びフレキシブルプリント回路基板３１を介在させて、９つのソースドライバ２５−１〜２５−９は１つのソースドライバとして機能するように順次接続されている。また、中央部のプリント回路基板１５には、パネル制御部２４が接続されており、各ソースドライバ２５−１〜２５−９に対して、液晶パネル７の表示部に表示される情報に応じた指示信号がパネル制御部２４内の画像処理部２４ａからタイミングコントロール部２４ｂを介して入力される。そして、各ソースドライバ２５−１〜２５−９は、対応するソース配線Ｓに対し、上記ソース信号を出力する。
【００５０】
また、液晶パネル７では、６つのソースドライバ２６−１〜２６−６が、６つのフレキシブルプリント回路基板（ＳＯＦ）３０にそれぞれ実装されている。各フレキシブルプリント回路基板３０の一端部側は、有効表示領域Ａの外側で、アクティブマトリクス基板１０上のゲート配線Ｇに接続されている。また、各ゲートドライバ２６−１〜２６−６には、同じ数のゲート配線Ｇ、つまり（Ｎ／６）本のゲート配線Ｇが接続されている。さらに、各ゲートドライバ２４−１〜２４−６は、対応するフレキシブルプリント回路基板３０とアクティブマトリクス基板１０上に設けられた配線（図示せず）を介して、パネル制御部２４に接続されている。そして、各ゲートドライバ２６−１〜２６−６は、画像処理部２４ａからの指示信号をタイミングコントロール部２４ｂを介して入力し、対応するゲート配線Ｇに対し、上記走査信号を出力する。
【００５１】
また、液晶パネル７では、フレキシブルプリント回路基板１４、３０がアクティブマトリクス基板１０に対して折り曲げられることにより、これらのフレキシブルプリント回路基板１４、３０及びプリント回路基板１５は、図２に示したように、ベゼル１８の内側に配置される。
【００５２】
ここで、図５も参照して、上記のように構成された本実施形態の液晶表示装置１の動作について具体的に説明する。尚、以下の説明では、画像処理部２４ａ内に設けられた電流監視部２４ａ１の動作について主に説明する。
【００５３】
図５は、図２に示した電流監視部での動作例を説明するフローチャートである。
【００５４】
図５のステップＳ１に例示するように、電流監視部２４ａ１は、画像処理部２４ａからタイミングコントロール部２４ｂを介してソースドライバ２５に出力されるソース信号の電流値が上記所定値（例えば、３Ａ）を越えるか否かについて判別している。そして、ソース信号の電流値が所定値を越えたことを判別すると、電流監視部２４ａ１は、液晶表示装置２の外部から静電気のノイズがソース配線Ｓ及び／またはソースドライバ２５に入り込んで、当該ソース配線Ｓに出力されたソース信号の電流値が異常に増加した判断する。その後、電流監視部２４ａ１は、ソース信号の電流値を、液晶パネル７での最小電流値に制限して、当該液晶パネル７において、所定期間（例えば、２秒（１２０フレーム））の間、黒表示を行わせる（ステップＳ２）。
【００５５】
一方、ステップＳ１において、ソース信号の電流値が所定値を越えなかったことを判別すると、電流監視部２４ａ１は、上記静電気に起因するソース信号の電流増加が発生していないと判断して、ソース信号の電流値を制限することなく、タイミングコントロール部２４ｂを介してソースドライバ２５にソース信号を出力させる。これにより、液晶パネル７では、ソースドライバ２５に入力されたソース信号に応じた、通常の映像データの表示動作が行われる（ステップＳ３）。
【００５６】
以上のように構成された本実施形態の液晶表示装置２では、電流監視部２４ａ１が画像処理部２４ａからソースドライバ（データ配線駆動部）２５に出力されるソース信号（データ信号）の電流値を監視している。これにより、本実施形態の液晶表示装置２では、静電気のノイズが外部からソース配線Ｓ及び／またはソースドライバ２５に入り込んだ場合に、電流監視部２４ａ１はその静電気に起因するソース信号の電流値の増加を検出することができる。この結果、本実施形態の液晶表示装置２では、静電気に起因するソース配線Ｓ及びソースドライバ２５の各破壊などの不良の発生を未然に防止することが可能となる。従って、本実施形態では、上記従来例と異なり、回路構成が複雑で、大型化するのを抑えることができる耐静電気特性に優れた液晶表示装置（表示装置）２を構成することができる。
【００５７】
また、本実施形態の液晶表示装置２では、上記表示部として、ノーマリブラック方式の液晶パネル７が用いられている。さらに、本実施形態の液晶表示装置２では、図５に示したように、電流監視部２４ａ１は、画像処理部２４ａからソースドライバ２５に出力されるソース信号の電流値が所定値を超えることを判別したときに、電流監視部２４ａ１は、液晶パネル７において、黒表示が行われるように、当該ソース信号の電流値を制限している。これにより、本実施形態の液晶表示装置２では、ソース配線Ｓに供給されるソース信号の電流値が液晶パネル７における最小電流値とされるので、上記静電気に起因するソース配線Ｓ及びソースドライバ２５の各破壊などの不良の発生をより確実に防ぐことができる。
【００５８】
また、本実施形態のテレビ受信装置１では、回路構成が複雑で、大型化するのを抑えることができる耐静電気特性に優れた液晶表示装置２を備えているので、耐静電気特性に優れたコンパクトなテレビ受信装置１を容易に構成することができる。
【００５９】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００６０】
例えば、上記の説明では、本発明を透過型の液晶表示装置に適用した場合について説明したが、本発明の表示装置はこれに限定されるものではなく、半透過型や反射型の液晶表
示装置あるいは有機ＥＬ（Electronic Luminescence）素子、無機ＥＬ素子、電界放出ディスプレイ（Field Emission Display）などの各種表示装置に適用することができる。
【００６１】
また、上記の説明では、ノーマリブラック方式の液晶パネルを表示部に用いた場合について説明したが、本発明はこれに限定されるものではなく、例えばノーマリホワイト方式の液晶パネルを表示部に適用することもできる。
【００６２】
但し、上記のようにノーマリホワイト方式の液晶パネルを用いる場合には、電流監視部は、画像処理部からデータ配線駆動部に出力されるデータ信号の電流値が所定値を超えることを判別したときに、電流監視部は、当該液晶パネルにおいて、白表示が行われるように、当該データ信号の電流値を制限することが好ましい。これにより、データ配線に供給されるデータ信号の電流値がノーマリホワイト方式の液晶パネルにおける最小電流値とされるので、上記静電気に起因するデータ配線及びデータ配線駆動部の各破壊などの不良の発生をより確実に防ぐことができるからである。
【００６３】
また、上記の説明では、画像処理部に、電流監視部を一体的に設けた場合について説明したが、本発明はこれに限定されるものではなく、画像処理部と電流監視部とを別個に設ける構成でもよい。
【００６４】
但し、上記の各実施形態のように、画像処理部に、電流監視部を一体的に設ける場合の方が、画像処理部と電流監視部とを別個に設ける場合に比べて、表示装置の回路構成をより確実にコンパクトなものとすることができる点で好ましい。
【００６５】
また、上記の説明では、ソースドライバ（データ配線駆動部）をフレキシブルプリント回路基板（ＳＯＦ）に実装する場合について説明したが、本発明のデータ配線駆動部はこれに限定されるものではない。具体的には、例えば液晶パネルのアクティブマトリクス基板上にＣＯＧ（Chip On Glass）実装されたデータ配線駆動部を用いることもできる。
【産業上の利用可能性】
【００６６】
本発明は、回路構成が複雑で、大型化するのを抑えることができる耐静電気特性に優れた表示装置、及びそれを用いたテレビ受信装置に対して有用である。
【図面の簡単な説明】
【００６７】
【図１】本発明の一実施形態にかかるテレビ受信装置及び液晶表示装置を説明する分解斜視図である。
【図２】本発明の上記液晶表示装置を説明する概略断面図である。
【図３】図２に示した液晶パネルの要部構成を説明する図である。
【図４】図２に示したプリント回路基板及びフレキシブルプリント回路基板を示す平面図である。
【図５】図２に示した電流監視部での動作例を説明するフローチャートである。
【符号の説明】
【００６８】
１  テレビ受信装置
２  液晶表示装置（表示装置）
７  液晶パネル（表示部）
２４  画像処理部
２４ａ１  電流監視部
２５、２５−１〜２５−９  ソースドライバ（データ配線駆動回路）
Ｓ、Ｓ１〜ＳＭ、  ソース配線（データ配線）
【図１】
2010156926.tif 000003
【図２】
2010156926.tif 000004
【図３】
2010156926.tif 000005
【図４】
2010156926.tif 000006
【図５】
2010156926.tif 000007